(57)【特許請求の範囲】
【請求項１】
壁に取付けられる取付具と、この取付具に引掛け状態に係止する被取付具および抜止め部を裏面に有する照明器具とを備え、
前記取付具が正面から見て略台形の板状であり、前記被取付具が前記取付具の略台形の両側に抱くように係合する、相対向する一対のＬ字形の鉤形部材であり、
前記取付具は、前記被取付具を前記取付具に引っ掛ける際に係合を開始する係止開始位置と、係合し終えて前記照明器具の係止状態となる係止終了位置と、前記係止開始位置および前記係止終了位置の間に形成されて前記鉤形部材の相対向する先端片の内面が摺動する係合面とを有し、
前記係合面は、前記被取付具を前記取付具に引っ掛ける際の前記先端片の内面の摺動により、前記照明器具が前記壁に接近するように傾斜しており、
前記抜け止め部は、前記照明器具が前記係止終了位置にあるときは前記取付具から離れた位置にあり、かつ前記被取付具を前記取付具から外す際に前記照明器具を前記壁に接近した状態のまま前記壁に平行に移動させたとき、前記取付具に当たるように突出し、その突出量は前記照明器具の前記被取付具の前記先端片の内面を前記係合面に沿って摺動させるとき前記取付具に当たらないように決められていることを特徴とする照明器具の壁取付装置。
【請求項２】
請求項１の照明器具の壁取付装置を備えた照明器具。
【発明の詳細な説明】
【０００１】
【発明の属する技術分野】
この発明は、壁掛け等に適用される照明器具の壁取付装置および照明器具に関するものである。
【０００２】
【従来の技術】
従来は、ねじにより壁に照明器具を取付けていたため、取外しが容易でなく、照明器具の交換に不便であった。
一方、図１３に示すように額縁状のフォトスタンド１００を壁面に掛ける場合は、木ねじ１０１を壁面に螺設し、そのねじ頭部にフォトスタンド１００のだるま孔１０２を引っ掛けていた。
【０００３】
また図１４に示す従来例は、壁面にねじ込んだ木ねじ１０３に、フォトスタンド１００に取付けた紐１０４を掛け、その紐１０４にフォトスタンド１００を吊り下げていた。
これらの従来例を照明器具に適用すると、照明器具の着脱が容易で交換に便利である。
【０００４】
【発明が解決しようとする課題】
しかし、照明器具を略額縁状に設計するためには、器具内の部品配置において、必要な空間が制約され、器具の重量バランスを取ることが困難であったため、傾斜して取付けられる欠点があった。
また外部結線や電池の挿入時と未挿入時の偏重量が発生し、通常の額縁などに比較して重量が重く、落下時の危険が増大した。
【０００５】
したがって、この発明の目的は、偏荷重による照明器具の傾きを防止し、照明器具の取付けが容易で振動等による脱落を防止でき、さらに無理な引っ張りに対して構成部品を破壊することなく照明器具を外すことができる照明器具の壁取付装置および照明器具を提供することである。
【０００６】
【課題を解決するための手段】
請求項１の照明器具の壁取付装置は、壁に取付けられる取付具と、この取付具に引掛け状態に係止する被取付具および抜止め部を裏面に有する照明器具とを備え、
前記取付具が正面から見て略台形の板状であり、前記被取付具が前記取付具の略台形の両側に抱くように係合する、相対向する一対のＬ字形の鉤形部材であり、
前記取付具は、前記被取付具を前記取付具に引っ掛ける際に係合を開始する係止開始位置と、係合し終えて前記照明器具の係止状態となる係止終了位置と、前記係止開始位置および前記係止終了位置の間に形成されて前記鉤形部材の相対向する先端片の内面が摺動する係合面とを有し、
前記係合面は、前記被取付具を前記取付具に引っ掛ける際の前記先端片の内面の摺動により、前記照明器具が前記壁に接近するように傾斜しており、
前記抜け止め部は、前記照明器具が前記係止終了位置にあるときは前記取付具から離れた位置にあり、かつ前記被取付具を前記取付具から外す際に前記照明器具を前記壁に接近した状態のまま前記壁に平行に移動させたとき、前記取付具に当たるように突出し、その突出量は前記照明器具の前記被取付具の前記先端片の内面を前記係合面に沿って摺動させるとき前記取付具に当たらないように決められていることを特徴とするものである。
【０００７】
請求項１の照明器具の壁取付装置によれば、照明器具の被取付具を壁の取付具に引っ掛けるとき、係止開始位置から係止終了位置に被取付具が移動する際に傾斜した係合面を摺動して照明器具が壁に接近し、抜止め部が取付具の下側に対向する。このため、不用意に照明器具が持ち上げられても抜止め部が取付具に当たって外れることがなく振動等による脱落を防止できる。また取付具と被取付具を凸形と凹形を嵌合させる構成のため照明器具の引っ掛けが容易で器具本体の偏荷重による照明器具の傾きを防止できる。さらに照明器具を壁から離れる方向に引きながら押し上げると抜止め部が取付具から離れて取付具の前側に移動すると同時に、被取付具が傾斜した係合面上を摺動しながら上方に移動するため被取付具が取付具から容易に外れることができ、構成部品を破壊することなく照明器具を外すことができる。
請求項２の照明器具は、請求項１の照明器具の壁取付装置を備えたものである。
請求項２の照明器具によれば、請求項１と同様の効果がある。
【０００８】
【発明の実施の形態】
この発明の一実施の形態を図１ないし図１２により説明する。すなわち、この照明器具の壁取付装置は、取付具１と、照明器具２とを有する。
取付具１は、壁７（図６）に取付けられている。この取付具１は凸形であり、中央に壁取付用孔５を有し、ねじ（図示せず）により壁に取付けている。また正面から見て略台形状であり、頂部の両側１ａが円弧に曲面形成され、両側下部１ｂが垂直に形成され、下端部両側には掛止部８を設け、さらに係合面９となる壁７に対向する面の高さ方向の中間高さ位置から掛止部８にかけて図５に示すように、掛止部８側が壁７に接近する傾斜面に形成している。
【０００９】
照明器具２は、取付具１に引掛け状態に係止する被取付具３を裏面に有し、被取付具３の係止開始位置１ａで取付具１の前側に位置し、被取付具３の係止終了位置１ｂで取付具１の下側に位置する抜止め部４を裏面に有する。
実施の形態の照明器具２はフォトスタンド壁掛け用としての略額縁状にしてあり、図８に示すように中央のパネル面１３がバックライト用の発光面でパネル面１３の周辺にランプ（図示せず）を配置し反射を利用してパネル面１３から外部に発光するように構成している。また被取付具３は凸形に対する凹形であるが、一対のＬ字形の鉤形部材３ａ，３ｂにより形成している。抜止め部４は被取付具３の下側に位置し上面が水平で前面が下端側から上端側にかけて下向きの傾斜面に形成している。この被取付具３および抜止め部４は図９に示す照明器具２の縦姿勢の照明器具２の裏面の中央上端部と、図１１に示す照明器具２の横姿勢の裏面の中央上端部に、図１に示すようにそれぞれ設けている。また、取付具１と被取付具３の寸法関係は、ａ＞ｂ、ｃ＜ｉ、ｆ，ｅ＜ｇ、ｆ＜ｅの関係がある。ここで、ａは一対の鉤形部材３ａ，３ｂの内面間の寸法、ｂは取付具１の両側下部間の寸法、ｃは一対の鉤形部材３ａ，３ｂの最大間隔、ｉは取付具１の掛止部８の最大間隔、ｆは取付具１の上端部の厚さ、ｅは取付具１の下端部の厚さ、ｇは鉤形部材３ａ，３ｂの照明器具２の裏面から係合面までの寸法である。
【００１０】
またスタンド脚１０を照明器具２の裏面の略中央部に起倒自在に取付けられ、先端部が照明器具２の一対角方向に延び、その先端部に照明器具２の隣接する２辺に平行となる傾斜部１０ａ，１０ｂを形成している。照明器具２の縦姿勢では図１０に示すように傾斜部１０ａが床面１６に当接し、照明器具２の横姿勢では図１２に示すように傾斜部１０ｂが床面１６に当接する。１１は停電時用の電池を収納した電池カバー、１２はパネル面１３の表面に写真を配置するための写真挿入口である。
【００１１】
図６は、照明器具の取付け状態を示し、（ａ）は被取付具３を取付具１の上端部の両側の係止開始位置１ａに位置した状態であり、この位置では抜止め部４が取付具１の前面に当たる位置となっている。（ｂ），（ｃ）は被取付具３を取付具１の係止開始位置１ａから係合面９に沿って降ろした状態であり、このとき次第に照明器具２が壁７に接近するとともに、抜止め部４が取付具１の下側に位置する。（ｄ）は被取付具３が係止終了位置１ｂに位置した状態であり、取付具１が掛止部８に当たって取付け完了状態となる。
【００１２】
図７は被取付具３を取付具１から外す手順である。すなわち、抜止め部４が取付具１の下側に位置しているため、照明器具２をそのまま壁７に沿って垂直に持ち上げただけでは抜止め部４が取付具１に当たるので外れない。このため振動等で不用意に照明器具２が押し上げられることがあっても外れない。照明器具２の下側を（ｄ）から（ｃ）のように壁７から離れるように引きながら持ち上げると、（ｂ）のように係合面９に沿って被取付具７が摺動しながら抜止め部４が取付具１の前側に移動する。（ａ）はさらに持ち上げた状態であり、照明器具２が取付具１から外れることができる。この外し方は照明器具２を無理に引っ張りた場合と同様であるため、無理に照明器具２が引っ張られると外れることにより構成部品の破損を防止できる。
【００１３】
なお、係合面９を取付具１に形成したが、被取付具３に形成してもよく、壁７と照明器具２とが対向する方向の取付具１および被取付具３の係合面において、係止開始位置よりも係止終了位置の方が照明器具２が壁７に接近するように係合面の少なくとも一方を傾斜させればよい。また被取付具３は凹形で一対の鉤形に形成したが、袋形状または溝状など取付具１との係合が可能な形状を有するものであればよい。さらに被取付具３を取付具１の上下を逆にしたような形状の凸形にし、取付具１を被取付具３のような形状の凹形に形成してもよいものである。
【００１４】
【発明の効果】
請求項１の照明器具の壁取付装置によれば、照明器具の被取付具を壁の取付具に引っ掛けるとき、係止開始位置から係止終了位置に被取付具が移動する際に傾斜した係合面を摺動して照明器具が壁に接近し、抜止め部が取付具の下側に対向する。このため、不用意に照明器具が持ち上げられても抜止め部が取付具に当たって外れることがなく振動等による脱落を防止できる。また取付具と被取付具を凸形と凹形を嵌合させる構成のため照明器具の引っ掛けが容易で器具本体の偏荷重による照明器具の傾きを防止できる。さらに照明器具を壁から離れる方向に引きながら押し上げると抜止め部が取付具から離れて取付具の前側に移動すると同時に、被取付具が傾斜した係合面上を摺動しながら上方に移動するため被取付具が取付具から容易に外れることができ、構成部品を破壊することなく照明器具を外すことができる。
請求項２の照明器具によれば、請求項１と同様の効果がある。
【図面の簡単な説明】
【図１】この発明の一実施の形態の裏面側からみた斜視図である。
【図２】略額縁状の照明器具の部分裏面図である。
【図３】その概略側面図である。
【図４】取付具の係合面側を示す裏面図である。
【図５】その側面図である。
【図６】照明器具の被取付具を取付具に係止する過程を説明する説明図である。
【図７】照明器具の被取付具を外す過程を示す説明図である。
【図８】照明器具の表面側からみた斜視図である。
【図９】照明器具の縦姿勢の正面図である。
【図１０】スタンド脚で照明器具を立てた状態の側面図である。
【図１１】照明器具の横姿勢の正面図である。
【図１２】図１０のスタンド脚で照明器具を立てた状態の側面図である。
【図１３】従来例のフォトスタンドを壁面に取付ける際の裏面側からみた斜視図である。
【図１４】別の従来例のフォトスタンドを壁面に取付ける状態の斜視図である。
【符号の説明】
１    取付具
１ａ    係止開始位置
１ｂ    係止終了位置
２    照明器具
３    被取付具
４    抜止め部
７    壁
９    係合面
【図１】
0003924827.tif 000002
【図２】
0003924827.tif 000003
【図３】
0003924827.tif 000004
【図４】
0003924827.tif 000005
【図５】
0003924827.tif 000006
【図６】
0003924827.tif 000007
【図７】
0003924827.tif 000008
【図８】
0003924827.tif 000009
【図９】
0003924827.tif 000010
【図１０】
0003924827.tif 000011
【図１１】
0003924827.tif 000012
【図１２】
0003924827.tif 000013
【図１３】
0003924827.tif 000014
【図１４】
0003924827.tif 000015